(57)【要約】【課題】自動取引装置で取引を行う顧客が広告・宣伝等のサービス情報の提供を受け易くする。【解決手段】取引を行う顧客へ提供する宣伝広告等のメッセージ情報を格納するメッセージデータベース４と自動取引装置１から受信したメッセージ情報問合わせ電文にしたがってメッセージデータベース４から抽出したメッセージ情報を自動取引装置１へ送信するメッセージ管理サーバ３を設けた。また、自動取引装置１にメッセージ管理サーバ３から受信したメッセージ情報を携帯端末５へ送信する近距離無線通信部を設け、さらに、その自動取引装置１からメッセージ情報を受信して記憶するＩＣチップと受信したメッセージ情報を表示する表示部を備えた携帯端末５を設けた。【選択図】        図１
2007193749.tif 000002
【特許請求の範囲】
【請求項１】
顧客の操作を受け付けて取引依頼電文を上位装置へ送信し、該上位装置から取引の許可を受信して取引を行なう自動取引装置を備えた自動取引システムにおいて、
取引を行う顧客へのメッセージ情報を格納するメッセージデータベースと、前記自動取引装置から受信したメッセージ情報問合わせ電文にしたがって前記メッセージデータベースから抽出したメッセージ情報を自動取引装置へ送信する通信部とを備えたメッセージ管理サーバと、
前記自動取引装置に、前記メッセージ管理サーバから受信したメッセージ情報を送信する近距離無線通信部と、
前記自動取引装置からメッセージ情報を受信する近距離無線通信手段と、該メッセージ情報を記憶する記憶手段と、前記受信したメッセージ情報を表示する表示部とを備えた携帯端末とよりなることを特徴とする自動取引システム。
【請求項２】
請求項１の自動取引システムにおいて、
ネットワークを介して通信可能に接続された前記携帯端末からの要求を受信してメッセージ情報を前記携帯端末へ送信するメッセージ配信サーバを設け、
前記携帯端末の表示部に該メッセージ情報を表示させるようにしたことを特徴とする自動取引システム。
【請求項３】
顧客を誘導して操作を受け付ける顧客操作表示部と、取引依頼電文を上位装置へ送信し、該上位装置から取引の許可を受信する通信部とを備え、該許可にしたがって取引を行なう自動取引装置において、
接近した携帯端末との間で送受信を行う近距離無線通信部を設け、
前記上位装置へ送信したメッセージ情報問合わせ電文に応答するメッセージ情報を該上位装置から受信し、受信したメッセージ情報および該メッセージ情報を携帯端末へ送信させる入力手段を表示し、該入力手段の押下を検知したとき該メッセージ情報を携帯端末へ送信するようにしたことを特徴とする自動取引装置。
【請求項４】
請求項３の自動取引装置において、
前記メッセージ情報を携帯端末へ送信させる入力手段とともに前記メッセージ情報を携帯端末へ送信させない入力手段を表示し、顧客の選択による該送信させない入力手段の押下を検知したとき該メッセージ情報を携帯端末へ送信することなく取引を終了させるようにしたことを特徴とする自動取引装置。
【請求項５】
請求項３または請求項４の自動取引装置において、
前記メッセージ情報問合わせ電文を、前記上位装置から取引の許可を受信した後、該取引を終了するまでの間に送信するようにしたことを特徴とする自動取引装置。
【発明の詳細な説明】
【技術分野】
【０００１】
本発明は、金融機関の店舗やコンビニエンスストア等に設置され、顧客の操作により現金支払い等の取引を行なう自動取引装置に関する。
【背景技術】
【０００２】
従来の自動取引装置は、顧客の操作を受け付けて現金支払い等の取引を行なうとともに、その顧客によるサービス案内の選択を受け付け、各種広告・宣伝等で構成されるサービス情報をＣＲＴディスプレイ等の表示部に表示させて顧客に情報を提供しているものがある（例えば、特許文献１参照）。
また、顧客が行う取引における取り扱い金額に応じて広告データを抽出し、その広告データを取引内容とともに利用明細票に印字して顧客に提供しているものもある（例えば、特許文献２参照）。
【特許文献１】特開平５−５４０５５号公報（段落「００２２」〜段落「００２９」、図１１）
【特許文献２】特開２００５−２５８８５７号公報（段落「００１２」〜段落「００１５」、図３）
【発明の開示】
【発明が解決しようとする課題】
【０００３】
しかしながら、上述した従来の技術においては、サービス情報の提供を希望する顧客は自動取引装置を操作し、表示部に表示されたサービス情報を読む必要があり、その操作等に長い時間を要し、表示された情報を記憶する必要もあり広告・宣伝効果が不十分であるという問題がある。特に、自動取引装置の使用を希望する他の利用者が待機している状況下ではこのサービス情報の提供を受け難いという問題がある。
【０００４】
また、サービス情報とともに現金支払い等の取引内容を印刷した利用明細票は口座残高を確認した後、すぐに処分されてしまうことが多く、広告・宣伝効果が不十分であるという問題がある。
本発明は、このような問題を解決することを課題とする。
【課題を解決するための手段】
【０００５】
そのため、本発明は、顧客の操作を受け付けて取引依頼電文を上位装置へ送信し、該上位装置から取引の許可を受信して取引を行なう自動取引装置を備えた自動取引システムにおいて、取引を行う顧客へのメッセージ情報を格納するメッセージデータベースと、前記自動取引装置から受信したメッセージ情報問合わせ電文にしたがって前記メッセージデータベースから抽出したメッセージ情報を自動取引装置へ送信する通信部とを備えたメッセージ管理サーバと、前記自動取引装置に、前記メッセージ管理サーバから受信したメッセージ情報を送信する近距離無線通信部と、前記自動取引装置からメッセージ情報を受信する近距離無線通信手段と、該メッセージ情報を記憶する記憶手段と、前記受信したメッセージ情報を表示する表示部とを備えた携帯端末とよりなることを特徴とする。
【発明の効果】
【０００６】
このようにした本発明は、顧客は自動取引装置で行う取引が終了した後に広告・宣伝等のサービス情報を携帯端末に表示させて充分な時間をかけて読むことができ、サービス情報の提供を受け易くなるという効果が得られる。
また、携帯端末で受信したサービス情報はすぐに処分されることなく、サービス情報提供者は広告・宣伝効果を充分に受けることができるという効果が得られる。
【発明を実施するための最良の形態】
【０００７】
以下、図面を参照して本発明による自動取引装置の実施例を説明する。
【実施例】
【０００８】
まず、第１の実施例について説明する。
図１は第１の実施例における自動取引システムの構成を示すブロック図である。
図１において、１は自動取引装置であり、銀行等の金融機関の店舗またはコンビニエンスストア等の店舗等に設置されるものである。この自動取引装置１は、通信回線２に通信可能に接続され、顧客の操作により現金引出しや現金入金および振込み等の取引ができるものである。また、この自動取引装置１は、近距離無線通信部を備え、非接触型ＩＣチップを内蔵した携帯端末等と無線通信が可能なものである。
【０００９】
通信回線２には後述するメッセージ管理サーバや銀行等の金融機関の事務センタ等に設置される自動取引装置１の上位装置である図示しないホストコンピュータが接続されている。このホストコンピュータはＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部および通信手段である通信部等を備えるものであり、通信回線２を介して自動取引装置１等と相互に通信可能に接続されている。
【００１０】
また、このホストコンピュータは自動取引装置１との間で現金引出し、現金入金、振込み等の取引電文の送受信を行い顧客の取引を成立させるか否かを判断するとともにその取引の処理を行う。さらに、顧客の口座番号と顧客の暗証番号等で本人であるか否かの本人認証も行なう。
３はメッセージ管理サーバであり、通信回線２を介して自動取引装置１等と相互に通信可能に接続されものである。このメッセージ管理サーバ３は、ＣＰＵ、ＭＰＵ等の演算および制御手段、磁気ディスク、半導体メモリ等の記憶手段および通信手段等を備えるものである。
【００１１】
４はメッセージデータベースであり、メッセージ管理サーバ３に備えられたものである。このメッセージデータベース４は自動取引装置１において取引を行う顧客に提供する広告・宣伝等や「ご利用のお礼文」、「顧客の近隣店舗の案内（地図表示）」、「顧客の近隣店舗の営業時間の案内」等のメッセージ情報を格納するものであり、取引を行うすべての顧客に対して提供するメッセージ情報および顧客の口座情報に関連付けて顧客毎に提供するメッセージ情報を格納するものとする。
【００１２】
５は携帯端末であり、自動取引装置１を利用する顧客が携帯するものである。この携帯端末５は液晶ディスプレイ等の表示部や操作ボタン等の入力部を備えた携帯電話、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）や持ち運び可能なノート型パーソナルコンピュータ等であり、記憶機能（記憶手段）や近距離無線通信機能（近距離無線通信手段）を有する非接触型ＩＣチップ（例えば、ＦｅｌｉＣＡ（登録商標）、Ｍｉｆａｒｅ（登録商標）等のＩＣチップ）を内蔵し、自動取引装置１と無線通信が可能なものである。
【００１３】
７は携帯アプリケーション配信サーバであり、無線通信を含む通信網であるネットワーク８を介して携帯端末５等と相互に通信可能に接続されものである。この携帯アプリケーション配信サーバ７は、ＣＰＵ、ＭＰＵ等の演算および制御手段、磁気ディスク、半導体メモリ等の記憶手段および通信手段等を備えるものである。この携帯アプリケーション配信サーバ７は携帯端末５からの要求により携帯端末５において動作する各種アプリケーションソフトウェアをダウンロードするものである。本実施例では、携帯端末５はメッセージを閲覧するためのアプリケーションソフトウェアをダウンロードするものとする。
【００１４】
図２は第１の実施例における自動取引装置の構成を示すブロック図である。
図２において、１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が入力操作等を行なうものであり、また、取引選択画面、顧客が選択した取引に対して顧客の入力操作等の誘導を行なう画面および入力された情報等を表示するものである。
【００１５】
１２はカードリーダ部であり、カード読取り書込み機構を備えたものである。このカードリーダ部１２は、顧客がカード挿入口に挿入したカードの磁気ストライプやＩＣチップ等から口座番号等の顧客情報を読取る。口座番号等を読取ったカードはカード排出口から排出して顧客に返却する。
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が紙幣入出金口に入れた紙幣を紙幣入出金機で計数して金庫に収納し、硬貨入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し紙幣入出金口および硬貨入出金口に搬送して顧客に払い出すことである。
【００１６】
１４は近距離無線通信部であり、携帯端末５に内蔵されたＩＣチップとの間で行う近距離無線通信６の制御を行い、情報の授受を可能とするものである。
１５は記憶部であり、半導体メモリや磁気ディスク等で構成され情報を記憶し、記憶した情報を読取ることができるものである。この記憶部１５には自動取引装置１全体の動作を制御する制御プログラム（ソフトウェア）、顧客操作表示部１１に表示する画面データおよび顧客が行なう取引に必要な情報等を記憶する。
【００１７】
１６は制御部であり、ＣＰＵ等の演算および制御手段等で構成されたものである。この制御部１６は顧客操作表示部１１、カードリーダ部１２、入出金部１３、近距離無線通信部１４、記憶部１５および図示しない通信部を含めて自動取引装置１全体の動作を記憶部１５に格納された制御プログラム（ソフトウェア）に基づいて制御する。
なお、通信部は通信回線２を介して接続されたメッセージ管理サーバ３等と相互にする通信を制御する手段であって、任意の情報を送信および受信することができるものである。また、制御部１６は日時や時刻等を計測する手段であるカレンダーおよび時計機能等も有している。
【００１８】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、携帯端末５にメッセージを閲覧するためのアプリケーションソフトウェアをダウンロードしておく必要があるため、その動作を説明する。
【００１９】
顧客の操作を受け付けた携帯端末５は携帯アプリケーション配信サーバ７へメッセージを閲覧するためのアプリケーションソフトウェアのダウンロードを要求する電文を送信する。携帯アプリケーション配信サーバ７はその要求を受け付けて要求されたアプリケーションソフトウェアを携帯端末５へ送信する。携帯端末５はアプリケーションソフトウェアを受信してダウンロードを終了する。
【００２０】
このようにして、携帯端末５にメッセージを閲覧するためのアプリケーションソフトウェアをダウンロードし、そのアプリケーションソフトウェアを起動する。
図３は第１の実施例におけるメッセージ送信処理を示すフローチャートであり、図中Ｓで表すステップにしたがって説明する。
Ｓ１ａ：図示しない自動取引装置１の近接センサにより顧客の接近を検知すると自動取引装置１の顧客操作表示部１１は通常の取引選択画面を表示する。この取引選択画面は、「いらっしゃいませ。お取引をお選びください。」等の文言および「お引出し」、「お振込み」、「お預入れ」、「残高照会」等の取引選択ボタンで構成されたものである。
【００２１】
顧客操作表示部１１に取引選択画面が表示されると顧客は希望する取引に対応する取引選択ボタン、例えば、「お引出し」ボタンを押下するものとする。
Ｓ２ａ：顧客操作表示部１１が「お引出し」の取引選択ボタンの押下を検知すると顧客操作表示部１１は制御部１６の指示により顧客にカードの挿入を促すカード挿入誘導画面を表示する。顧客はカード挿入誘導画面にしたがって所持しているカードをカードリーダ部１２のカード挿入排出口から挿入する。
【００２２】
カードリーダ部１２は挿入されたカードの磁気ストライプやＩＣチップ等から口座番号等の口座情報を読取る。カードが挿入されると顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００２３】
顧客が暗証番号を入力すると制御部１６は通信回線２を介してその暗証番号をカードから読取った口座情報等とともにホストコンピュータへ送信する。
ホストコンピュータは受信した顧客の口座番号等の口座情報に基づいて図示しない顧客データベースを検索して暗証番号を抽出し、受信した暗証番号と比較して一致するか否かの照合、すなわち、本人認証を行う。ホストコンピュータは通信部を介してその結果を自動取引装置１へ送信する。
【００２４】
なお、本人認証は暗証番号を使用したものに限られるものでなく、生体認証等を使用した本人認証であってもよい。
本人認証の結果、本人であることが確認できると自動取引装置１の顧客操作表示部１１は「１」から「９」ならびに「０」および「確認」の操作ボタン等で構成される引出し金額入力画面を表示する。
【００２５】
引出し金額の入力および「確認」の操作ボタンの押下を顧客操作表示部１１で受け付けると制御部１６の指示により入出金部１３は指定された現金の出金処理を行ない、支払い取引を実行する。
なお、本人認証の結果、本人であることが確認できなかった場合、制御部１６の指示によりカードリーダ部１２は挿入されたカードを顧客に返却して当該取引を終了する。
【００２６】
Ｓ３ａ：支払い取引を実行すると制御部１６はその顧客に向けたメッセージが存在するか否かを問い合わせるメッセージ問合せ電文をメッセージ管理サーバ３へ送信する。ここで、メッセージ問合せ電文に取引を行う顧客の口座情報等を含め、その顧客の取引情報に応じたメッセージが存在する否かを問い合わせるようにしてもよい。
Ｓ４ａ：メッセージ問合せ電文を受信したメッセージ管理サーバ３はメッセージデータベース４を検索して顧客に向けたメッセージが存在するか否かを判定する。
【００２７】
ここで、メッセージが存在するか否かの判定は、すべての顧客に提供する共通のメッセージや顧客毎に異なるメッセージがメッセージデータベース４に格納されているか否かで行うものとする。例えば、新たな金融商品の販売を開始した場合、その金融商品を宣伝・広告するメッセージがすべての顧客に対して提供する共通のメッセージとしてメッセージデータベース４に格納されているとき、または、特定の顧客に対して取引状況に応じた金融商品を宣伝・広告するメッセージが顧客の口座情報に関連付けられて格納されているときに顧客に向けたメッセージが存在すると判定するものとする。
【００２８】
メッセージが存在すると判定したメッセージ管理サーバ３はメッセージデータベース４から取引を行う顧客へ提供するメッセージを抽出して自動取引装置１へ送信する。
なお、メッセージが存在しないと判定した場合、メッセージ管理サーバ３はメッセージが存在しない旨の電文を自動取引装置１へ送信し、自動取引装置１はその取引を継続する。
【００２９】
Ｓ５ａ：顧客へ提供するメッセージを受信した自動取引装置１の制御部１６の指示により顧客操作表示部１１は図４に示すメッセージ画面３０を表示する。このメッセージ画面３０は、例えば、受信したメッセージを表示する表示領域３１および携帯端末にそのメッセージを送信するため（顧客がメッセージを受取るため）の「携帯端末に情報を送信する」ボタン３２ならびに携帯端末にそのメッセージを送信させないため（顧客がメッセージを受取らないため）の「携帯端末に情報を送信しない」ボタン３３（入力手段）で構成されたものである。
【００３０】
なお、このメッセージ画面３０は、現金の計数中等の出金処理動作中の顧客の待ち時間に表示するものとするが、顧客が行う取引が終了した後、例えば、現金およびカードの受取り後に表示するようにしてもよい。
Ｓ６ａ：メッセージ画面３０を表示すると顧客操作表示部１１は「携帯端末に情報を送信する」ボタン３２または「携帯端末に情報を送信しない」ボタン３３の押下を受け付ける。ここで、制御部１６は「携帯端末に情報を送信する」ボタン３２の押下を検知すると処理をＳ７ａへ移行させ、「携帯端末に情報を送信しない」ボタン３３の押下を検知すると制御部１６の指示により顧客操作表示部１１は支払い取引が終了した旨を表示する取引終了画面を表示し、挿入されたカードと現金を放出して引出し取引を終了する。
【００３１】
なお、メッセージ画面３０に「携帯端末に情報を送信しない」ボタン３３を表示することなく、一定時間経過しても「携帯端末に情報を送信する」ボタン３２の押下を検知しない場合、制御部１６の指示により顧客操作表示部１１は支払い取引が終了した旨を表示する取引終了画面を表示し、挿入されたカードと現金を放出して引出し取引を終了させるようにしてもよい。
【００３２】
Ｓ７ａ：「携帯端末に情報を送信する」ボタン３２の押下を受け付けると制御部１６の指示により近距離無線通信部１４は携帯端末５の接近を待ち、その接近を検知するとメッセージ管理サーバ３から受信したメッセージを携帯端末５へ送信する。
Ｓ８ａ：メッセージを受信した携帯端末５は、その応答を自動取引装置１へ送信する。
Ｓ９ａ：応答を受信した制御部１６の指示により顧客操作表示部１１は支払い取引が終了した旨を表示する取引終了画面を表示し、挿入されたカードと現金を放出して引出し取引を終了する。
【００３３】
Ｓ１０ａ：取引を行った顧客は携帯端末５で受信したメッセージを表示部に表示して閲覧する。
なお、本実施例では、自動取引装置１がメッセージ管理サーバ３から受信したメッセージを、非接触型ＩＣチップを有する携帯端末５へ送信するようにしたが、携帯端末５へ電子メール等で送信するようにしてもよい。
【００３４】
以上説明したように、第１の実施例では、顧客は自動取引装置で行う取引が終了した後に広告・宣伝等の情報を携帯端末に表示させて充分な時間をかけて読むことができるため、情報の提供を受け易くなるという効果が得られる。
また、携帯端末で受信した広告・宣伝等の情報は記憶されるため、すぐに処分されることなく、情報提供者は広告・宣伝効果を充分に受けることができるという効果が得られる。
次に、第２の実施例を説明する。
【００３５】
図６は第２の実施例における自動取引システムの構成を示すブロック図である。第２の実施例における自動取引システムの構成は、第１の実施例の自動取引システムの構成にメッセージ配信サーバが追加されたものである。
なお、上述した第１の実施例と同様の部分は、同一の符号を付してその説明を省略する。
【００３６】
図６において、９はメッセージ配信サーバであり、メッセージを配信するためのＷｅｂサーバである。このメッセージ配信サーバ９は、ＣＰＵ、ＭＰＵ等の演算および制御手段、磁気ディスク、半導体メモリ等の記憶手段および通信手段等を備え、また、ネットワーク８を介して携帯端末５等と相互に通信可能に接続されものである。
また、メッセージデータベース４は自動取引装置１において取引を行う顧客に提供する広告・宣伝等や「ご利用のお礼文」、「顧客の近隣店舗の案内（地図表示）」、「顧客の近隣店舗の営業時間の案内」等のメッセージ情報およびそのメッセージの詳細な情報を配信するメッセージ配信サーバ９のアドレスを示すＵＲＬ（Ｕｎｉｆｏｒｍ  Ｒｅｓｏｕｒｃｅ  Ｌｏｃａｔｏｒ）等を格納するものとする。
【００３７】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
携帯端末５にメッセージを閲覧するためのアプリケーションソフトウェアをダウンロードしておく動作は第１の実施例と同様であるためその説明を省略する。
【００３８】
次に、図７は第２の実施例におけるメッセージ送信処理を示すフローチャートであり、図中Ｓで表すステップにしたがって説明する。
Ｓ１ｂ〜Ｓ３ｂ：図３におけるＳ１ａ〜Ｓ３ａと同様なのでその説明を省略する。
Ｓ４ｂ：メッセージ問合せ電文を受信したメッセージ管理サーバ３はメッセージデータベース４を検索して顧客に向けたメッセージが存在するか否かを判定する。
【００３９】
ここで、メッセージが存在するか否かの判定は、すべての顧客に提供する共通のメッセージや顧客毎に異なるメッセージがメッセージデータベース４に格納されているか否かで行うものとする。例えば、新たな金融商品の販売を開始した場合、その金融商品を宣伝・広告するメッセージがすべての顧客に対して提供する共通のメッセージとしてメッセージデータベース４に格納されているとき、または、特定の顧客に対して取引状況に応じた金融商品を宣伝・広告するメッセージが顧客の口座情報に関連付けられて格納されているときに顧客に向けたメッセージが存在すると判定するものとする。
【００４０】
メッセージが存在すると判定したメッセージ管理サーバ３はメッセージデータベース４から取引を行う顧客へ提供するメッセージおよびそのメッセージの詳細を配信するメッセージ配信サーバ９のアドレスを示すＵＲＬ等を抽出して自動取引装置１へ送信する。
なお、メッセージが存在しないと判定した場合、メッセージ管理サーバ３はメッセージが存在しない旨の電文を自動取引装置１へ送信し、自動取引装置１はその取引を継続する。
【００４１】
Ｓ５ｂ：顧客へ提供するメッセージを受信した自動取引装置１の制御部１６の指示により顧客操作表示部１１は図４に示すメッセージ画面３０を表示する。このメッセージ画面３０は、例えば、受信したメッセージを表示する表示領域３１および携帯端末にそのメッセージを送信するための「携帯端末に情報を送信する」ボタン３２ならびに携帯端末にそのメッセージを送信させないための「携帯端末に情報を送信しない」ボタン３３（入力手段）で構成されたものである。
【００４２】
なお、このメッセージ画面３０は、現金の計数中等の出金処理動作中の顧客の待ち時間に表示するものとするが、顧客が行う取引が終了した後、例えば、現金およびカードの受取り後に表示するようにしてもよい。
Ｓ６ｂ：メッセージ画面３０を表示すると顧客操作表示部１１は「携帯端末に情報を送信する」ボタン３２または「携帯端末に情報を送信しない」ボタン３３の押下を受け付ける。ここで、制御部１６は「携帯端末に情報を送信する」ボタン３２の押下を検知すると処理をＳ７ａへ移行させ、「携帯端末に情報を送信しない」ボタン３３の押下を検知すると制御部１６の指示により顧客操作表示部１１は支払い取引が終了した旨を表示する取引終了画面を表示し、挿入されたカードと現金を放出して引出し取引を終了する。
【００４３】
なお、メッセージ画面３０に「携帯端末に情報を送信しない」ボタン３３を表示することなく、一定時間経過しても「携帯端末に情報を送信する」ボタン３２の押下を検知しない場合、制御部１６の指示により顧客操作表示部１１は支払い取引が終了した旨を表示する取引終了画面を表示し、挿入されたカードと現金を放出して引出し取引を終了させるようにしてもよい。
【００４４】
Ｓ７ｂ：「携帯端末に情報を送信する」ボタン３２の押下を受け付けると制御部１６の指示により近距離無線通信部１４は携帯端末５の接近を待ち、その接近を検知するとメッセージ管理サーバ３から受信したメッセージおよびＵＲＬ等を携帯端末５へ送信する。
Ｓ８ｂ：メッセージおよびＵＲＬ等を受信した携帯端末５は、その応答を自動取引装置１へ送信する。
【００４５】
Ｓ９ｂ：応答を受信した制御部１６の指示により顧客操作表示部１１は支払い取引が終了した旨を表示する取引終了画面を表示し、挿入されたカードと現金を放出して引出し取引を終了する。
Ｓ１０ｂ：取引を行った顧客は携帯端末５を操作して受信したＵＲＬのメッセージ配信サーバ９に接続し、所望の宣伝・広告のコンテンツをダウンロードする。
【００４６】
Ｓ１１ｂ：顧客は携帯端末５にダウンロードしたコンテンツを表示部に表示して閲覧する。
以上説明したように、第２の実施例では、第１の実施例の効果に加え、携帯端末でメッセージ配信サーバに接続することにより、顧客は希望する宣伝・広告の情報を得ることができるという効果が得られる。
【図面の簡単な説明】
【００４７】
【図１】第１の実施例における自動取引システムの構成を示すブロック図
【図２】第１の実施例における自動取引装置の構成を示すブロック図
【図３】第１の実施例におけるメッセージ送信処理を示すフローチャート
【図４】第１の実施例における自動取引装置に表示するメッセージ画面の説明図
【図５】第１の実施例における携帯端末に表示するメッセージ画面の説明図
【図６】第２の実施例における自動取引システムの構成を示すブロック図
【図７】第２の実施例におけるメッセージ送信処理を示すフローチャート
【符号の説明】
【００４８】
１    自動取引装置
２    通信回線
３    メッセージ管理サーバ
４    メッセージデータベース
５    携帯端末
６    近距離無線通信
７    携帯アプリケーション配信サーバ
８    ネットワーク
１１  顧客操作表示部
１２  カードリーダ部
１３  入出金部
１４  近距離無線通信部
１５  記憶部
１６  制御部
【図１】
2007193749.tif 000003
【図２】
2007193749.tif 000004
【図３】
2007193749.tif 000005
【図４】
2007193749.tif 000006
【図５】
2007193749.tif 000007
【図６】
2007193749.tif 000008
【図７】
2007193749.tif 000009